(57)【特許請求の範囲】
【請求項１】
携帯型の機器に着脱自在に取付けられ得るストラップであって、前記機器に設けた対応係止部に係合し得る係合部を各端部にそれぞれ具えており、係合部の各々は、別種ストラップの対応する端部を取付けるための取付け部を有し、前記係合部は、対応係止部に係合したときに、係合状態を維持する方向に前記係合部を付勢し得る付勢手段、及び前記係合状態を維持する方向とは略反対の方向に力が加わったときに、付勢手段を乗り越えて対応係止部から外れるのを阻止するための阻止手段を含むことを特徴とするストラップ。
【請求項２】
前記付勢手段は、バネであることを特徴とする請求項１に記載のストラップ。
【請求項３】
前記阻止手段は、前記係合部から延びる部分であって、前記略反対方向の力が加わったときに付勢手段に引っ掛かる部分であることを特徴とする請求項１に記載のストラップ。
【請求項４】
前記阻止手段は、前記略反対方向の力を、付勢手段を乗り越えるのを阻止し得る方向の力に変換する機構を含むことを特徴とする請求項３に記載のストラップ。
【請求項５】
携帯型の機器にストラップを着脱自在に取付けるためのストラップ取付け構造であって、ストラップは、両端にそれぞれ係合部を有し、前記機器は、ストラップの係合部が係合し得る対応係止部を有し、ストラップの係合部の各々は、別種ストラップの対応する端部を取付けるための取付け部を有し、前記係合部は、対応係止部に係合したときに、係合状態を維持する方向に前記係合部を付勢し得る付勢手段、及び前記係合状態を維持する方向とは略反対の方向に力が加わったときに、付勢手段を乗り越えて対応係止部から外れるのを阻止するための阻止手段を含むことを特徴とするストラップ取付け構造。
【請求項６】
ストラップが着脱自在に取付けられ得る端末装置であって、
ストラップは、前記端末装置に設けた対応係止部に係合し得る係合部を各端部にそれぞれ具え、
係合部の各々は、別種ストラップの対応する端部を取付けるための取付け部を有し、前記係合部は、対応係止部に係合したときに、係合状態を維持する方向に前記係合部を付勢し得る付勢手段、及び前記係合状態を維持する方向とは略反対の方向に力が加わったときに、付勢手段を乗り越えて対応係止部から外れるのを阻止するための阻止手段を含むことを特徴とする端末装置。
【発明の詳細な説明】
技術分野
本発明は、ハンドヘルドターミナル等の携帯型電子機器に対して、オペレータの手を保持するために着脱自在に取付けられ得るストラップ及びその取付け構造に関する。
背景技術
ハンドヘルドターミナル（以下、ターミナル）の従来構造の一例を図１６〜２４に示す。図示ターミナル６１は、内部に所定電子回路が内蔵されて成り、前面には、大型のＬＣＤ表示部６３が設けられ、裏面には、オペレータの手を押さえるためのハンドストラップ６５が取付けられる。
ハンドストラップ６５は、弾力性を有した細長いゴムバンド様のバンド部６７と、バンド部両端の取付け用金具部６９とから成る（図１９）。金具部６９は、金具部本体７１の幅方向両側に引っ掛けられて中央が湾曲するように立ち上がっている（金属製の細い丸棒を立体的に湾曲形成したような）バネ７３を含む。
斯かるハンドストラップ６５は、その両端の金具部６９がターミナル裏面の長手方向両側の所定位置に設けられた２つの略矩形状の窪み８１にそれぞれ差し込まれて取付けられる。この際、バンド部６７の弾力性（収縮性）によって、金具部６９が相互近接方向（すなわち、バンド復原方向）に引っ張られ、金具部６９の幅方向両側の舌片部分８３がターミナル裏面の窪み８１の突出片部８５に引っ掛かるので（図１８、図２１、図２４）、通常の使用において金具部６９が窪み８１から抜け出る虞れはない。
他方、オペレータの首に掛けてターミナルの操作ないし携帯することを可能にするネックストラップは、ハンドストラップ６５とは別個に、ターミナル裏面の所定位置にネジや金具を用いてその両端が固定される。
しかるに、従来構造では、両ストラップがそれぞれ独立して取付けられる、すなわち、ストラップ毎にストラップ取付け或いは取り外し作業を行わなければならず、また、それに応じて部品点数が多くなるために不経済である、といったことが以前より指摘されてきた。
発明の開示
本発明の目的は、従来と同等もしくはそれ以上の耐久性・耐力性を有しながら、上記従来の不都合を軽減ないしなくすことのできる合理的・経済的なストラップ取付け構造を提供することである。
本発明は、携帯型の機器に着脱自在に取付けられ得るストラップであって、前記機器に設けた対応係止部に係合し得る係合部を各端部にそれぞれ具えており、係合部の各々は、別種ストラップの対応する端部を取付けるための取付け部を有することを特徴とする。
好ましくは、前記係合部は、対応係止部に係合したときに、係合状態を維持する方向に前記係合部を付勢し得る付勢手段を含む。好ましくは、前記付勢手段は、バネである。好ましくは、前記係合部は、前記係合状態を維持する方向とは略反対の方向に力が加わったときに、付勢手段を乗り越えて対応係止部から外れるのを阻止するための阻止手段を含む。好ましくは、前記阻止手段は、前記係合部から延びる部分であって、前記略反対方向の力が加わったときに付勢手段に引っ掛かる部分である。好ましくは、前記阻止手段は、前記略反対方向の力を、付勢手段を乗り越えるのを阻止し得る方向の力に変換する機構を含む。
本発明は、携帯型の機器にストラップを着脱自在に取付けるためのストラップ取付け構造であって、ストラップは、両端にそれぞれ係合部を有し、前記機器は、ストラップの係合部が係合し得る対応係止部を有し、ストラップの係合部の各々は、別種ストラップの対応する端部を取付けるための取付け部を有することを特徴とする。
本発明は、ストラップが着脱自在に取付けられ得る端末装置であって、ストラップは、前記端末装置に設けた対応係止部に係合し得る係合部を各端部にそれぞれ具え、係合部の各々は、別種ストラップの対応する端部を取付けるための取付け部を有することを特徴とする。
発明を実施するための最良の形態
以下、本発明の複数の実施の形態を図面を参照して説明する。上記従来構造と共通する部分、部品については同一の参照番号を付すと共に重複する説明を適宜省略し、特徴的な部分について詳説する。
図１は、本発明の第１の実施態様を示す。本実施態様のハンドストラップ１５のバンド部両端に設けられる取付け用金具部１９は、金具部本体７１中央に矩形状の切欠き部２１が形成され、この切り欠き部２１には、金属製（又はプラスチック製）の細い（ネックストラップ自体の損傷を回避する観点から）丸棒を略Ω状に折り曲げたような形状のフック２３が略９０°回動自在に取付けられる。フック２３の中間の真っすぐな部分には、ネックストラップ９５の一端が取付けられる。
斯かる構成を有する本実施態様にあっては、ターミナル６１に対するハンドストラップ１５の取付け作業に関して、ハンドストラップ１５の一端の取付けがネックストラップ９５の一端の取付けになり、他方ハンドストラップ１５の他端の取付けがネックストラップ９５の他端の取付けにもなる。
すなわち、ターミナル６１に対するハンドストラップ１５の取付け作業が終了すると同時にネックストラップ９５の取付け作業も終了する。つまり、ネックストラップがハンドストラップに取付けられる構造上、ターミナル側にネックストラップを取付ける機構が不要となる。このため、ターミナル６１を操作するオペレータにとって、当該取付け／取り外し作業の煩わしさが大幅に軽減され、また、部品点数や部品製造費の面で省コスト化でき、非常に実用的である。
ここで、ターミナル６１の窪み８１に差し込まれて取付けられた金具部１９が外力によって動く様を描いた図５（ａ）、（ｂ）、（ｃ）を参照する。ネックストラップ９５に外力が作用したときに、窪み８１内で金具部１９が同図（ａ）〜（ｃ）に示すように移動する。この移動方向は、ハンドストラップ１５（金具部１９）を外す方向である。このとき、外力が更に強いような場合、金具部１９がバネ７３の中間部分を乗り越えるようにして（換言すると、バネ中間部分が金具部１９の下側に移動するようにして）、金具部１９が窪み８１から飛び出して外れてしまう可能性がある。
この場合、本実施態様の副次的効果とも言うべき次の作用・効果が得られる。すなわち、ハンドストラップ１５の一端がターミナル６１（窪み８１）から外れた場合にあっても、ネックストラップ９５の一端は変わらずこのハンドストラップ一端側に取付けられており、ハンドストラップ１５（ネックストラップ９５）の他端はターミナル６１に取付けられているままであれば、ネックストラップ９５の輪は開いた状態にない。すなわち、例えば、オペレータがネックストラップ９５を首に掛けていたような場合、ネックストラップ９５の一端がターミナル６１に取付けられているので、輪はそのままであるから、結果的にターミナルは床面に落下衝突しない（壊れない）。この作用・効果は、従来構造には無い、非常に優れたものと言うことができる。
ところで、より現実的・実用的には、上記ハンドストラップを外れにくくする必要があり、これを解決するものが次に説明する２つの実施態様である。
第２実施態様を説明するに、これを示す図６を参照すると、本実施態様の金具部２９（本体７１）は、上記第１実施態様の金具部１９の構成に加えて、金具部本体７１に舌状部７１ａ（図９のハッチング部分）を追加したような構造から成る。
ここで、ターミナル６１の窪み８１に差し込まれて取付けられた金具部２９が外力によって動く様を描いた図１０（ａ）、（ｂ）、（ｃ）を参照する。ネックストラップ９５に外力が作用したときに、窪み８１内で金具部が同図（ａ）〜（ｃ）に示すように移動する。このとき、外力が更に強いような場合、金具部２９がバネ２３中間部分を乗り越えようとするが、舌状部７１ａがその邪魔をして、乗り越えることができず、移動できない。換言すると、バネ中間部分が金具部２９の下側に移動できない。従って、このとき、金具部２９の幅方向両側の舌片部分８３がターミナル裏面の窪み８１の突出片部８５に引っ掛かったままである。すなわち、金具部２９が窪み８１から飛び出してハンドストラップ２５が外れてしまうという虞れがない。
第３実施態様を説明するに、これを示す図１１を参照すると、本実施態様の金具部は、上記第１実施態様の金具部の構成を一部変えた、すなわち、フック２３が取付けられる金具部本体３９（７１）中央の切欠き部２１ａの形状が異なり、フック２３が任意回動できる角度が小さいように（例えば、６０°程度）構成される。
ここで、ターミナル６１の窪み８１に差し込まれて取付けられた金具部３９が外力によって動く様を描いた図１５（ａ）、（ｂ）、（ｃ）を参照する。ネックストラップ９５に外力が作用したときに、窪み８１内で金具部３９が同図（ａ）〜（ｃ）に示すように移動する。このとき、金具部３９には、窪み底面に押し付けられるような外力（の分力）が作用し、これにより金具部３９がバネ７３の中間部分を乗り越えるようにして移動しない、換言すると、バネ中間部分が金具部３９の下側に移動しない。すなわち、金具部３９がターミナル６１の窪み８１から飛び出してハンドストラップ３５が外れてしまうという虞れがない。
産業上の利用可能性
以上説明したように、本発明のストラップ及びその取付け構造によれば、以下の利点が得られる。
（１）ストラップ取付け／取り外し作業を省力化・簡略化でき、作業者の負担を軽減できる。
（２）従来と同等もしくはそれ以上の耐久性・耐力性を有したストラップの取付けを行うことができ、非常に実用的である。
（３）部品点数を大幅に減らすことができ、合理的・経済的である。
【図面の簡単な説明】
本発明の上記及び他の目的、特徴、利点等を以下に添付図面に示す実施例に従って詳細に説明する。
これらの図において：
図１は、第１実施態様のハンドストラップの端部の斜視図であり；
図２は、第１実施態様のハンドストラップ端部の平面図であり；
図３は、第１実施態様のハンドストラップ端部の側面図であり；
図４は、第１実施態様のハンドストラップ端部の分解平面図であり；
図５（ａ）、（ｂ）、（ｃ）は、第１実施態様のハンドストラップの取付け状態を示す要部側面図であり；
図６は、第２実施態様のハンドストラップの端部の斜視図であり；
図７は、第２実施態様のハンドストラップ端部の平面図であり；
図８は、第２実施態様のハンドストラップ端部の側面図であり；
図９は、第２実施態様のハンドストラップ端部の分解平面図であり；
図１０（ａ）、（ｂ）、（ｃ）は、第２実施態様のハンドストラップの取付け状態を示す要部側面図であり；
図１１は、第３実施態様のハンドストラップの端部の斜視図であり；
図１２は、第３実施態様のハンドストラップ端部の平面図であり；
図１３は、第３実施態様のハンドストラップ端部の側面図であり；
図１４は、第３実施態様のハンドストラップ端部の分解平面図であり；
図１５（ａ）、（ｂ）、（ｃ）は、第３実施態様のハンドストラップの取付け状態を示す要部側面図であり；
図１６は、ハンドヘルドターミナルの表面図であり；
図１７は、ハンドヘルドターミナルの右側面図であり；
図１８は、ハンドヘルドターミナルの裏面図であり；
図１９は、ハンドストラップ単体の平面図であり；
図２０は、ハンドストラップ端部の斜視図であり；
図２１は、ハンドストラップ端部の平面図であり；
図２２は、ハンドストラップ端部の側面図であり；
図２３は、ハンドストラップ端部の分解平面図であり；
図２４は、ハンドストラップの取付け状態を示す要部平面図である。
【図１】
0004380923.tif 000002
【図２】
0004380923.tif 000003
【図３】
0004380923.tif 000004
【図４】
0004380923.tif 000005
【図５】
0004380923.tif 000006
【図６】
0004380923.tif 000007
【図７】
0004380923.tif 000008
【図８】
0004380923.tif 000009
【図９】
0004380923.tif 000010
【図１０】
0004380923.tif 000011
【図１１】
0004380923.tif 000012
【図１２】
0004380923.tif 000013
【図１３】
0004380923.tif 000014
【図１４】
0004380923.tif 000015
【図１５】
0004380923.tif 000016
【図１６】
0004380923.tif 000017
【図１７】
0004380923.tif 000018
【図１８】
0004380923.tif 000019
【図１９】
0004380923.tif 000020
【図２０】
0004380923.tif 000021
【図２１】
0004380923.tif 000022
【図２２】
0004380923.tif 000023
【図２３】
0004380923.tif 000024
【図２４】
0004380923.tif 000025